(57)【特許請求の範囲】
【請求項１】
略立方体柱状をなし、軸心方向には中空路が設けられ、該中空路と外部とを連通するスリットが上面部に軸心方向へ向かって直線状に設けられたスリット付き側溝用ブロックを、長手方向へ順次接続しながら敷設して路面幅方向端部側に排水路を形成し、
敷設した前記スリット付き側溝用ブロックのスリット内に嵌まって突設する位置決め部材を取り付け、
該位置決め部材に表面側側壁を当接させ位置決めしながら境界ブロックを前記スリット付き側溝用ブロックの上面に設置し、順次長手方向へ接続し敷設してなることを特徴とする境界ブロックの施工方法。
【請求項２】
略方形体状をなし、裏面側側壁の下側略中央位置には係止孔が設けられてなる境界ブロックを吊り上げる吊り装置であって、
上部に吊り上げフック部が設けられ、略中間部上側位置には回動部が設けられ、下部には吊り上げる境界ブロックの一方側側壁に係止する係止部が設けられた押さえ部材と、
前記押さえ部材の回動部を挟んで軸支する一対の保持部材であり、該一対の保持部材は、先端側に前記回動部に軸支する軸支部を有し、後端側からは上下方向に延出する保持片を有し、該保持片下側位置には前記境界ブロックの係止孔に挿入する係止棒とを有してなり、
該係止棒を係止孔に挿入すると共に、保持片と押さえ部材とにより前記境界ブロックを挟持して吊り上げ運搬可能とされたことを特徴とする境界ブロック吊り装置。
【発明の詳細な説明】
【０００１】
【発明の属する技術分野】
本発明は、例えば、道路の両脇あるいはトンネルの両脇に敷設されて側溝を形成するスリット付き側溝用ブロックの上部に設置される境界ブロックの施工方法及び境界ブロック吊り装置に関するものである。
【従来の技術】
スリット付き側溝用ブロックは、その上面側の外部と側溝用ブロック内部の水路等の機能をはたす中空路とは上面部に形成されたスリットにより連通されている。
【０００２】
この上面にスリットが設けられた側溝用ブロックは、近年急激に需要が増えており、例えばトンネル内車道の両脇に当該スリット付き側溝用ブロックを用いた側溝が形成され、敷設されることが多々見受けられる。
【０００３】
そして、降雨時においては、車道に流れ込んだ大量の雨水等が当該側溝に設けられたスリットから内部の中空路に流れ込むものとされている。
【０００４】
しかして、このスリット付き側溝の上には一般に境界ブロックと称される仕切り用のブロック部材が長手方向に設置されるのが常であり、この境界ブロックの迅速、確実及び安価な施工コストでの施工方法の提案が要請されており、またこの境界ブロックの迅速、確実及び安価な製造コストで吊り上げ運搬する吊り装置の提案が要請されていた。
【発明が解決しようとする課題】
かくして、本発明は前記従来からの要望に対処すべく創案されたものであり、境界ブロックの運搬そして吊り上げについて、またその施工に際しても迅速、確実及び安価な施工コストで行え、吊り装置についても迅速、確実及び安価な製造コストで提供できる境界ブロックの施工方法及び境界ブロック吊り装置を提供することを目的とするものである。
【課題を解決するための手段】
本発明による境界ブロックの施工方法及び境界ブロック吊り装置は、
略立方体柱状をなし、軸心方向には中空路が設けられ、該中空路と外部とを連通するスリットが上面部に軸心方向へ向かって直線状に設けられたスリット付き側溝用ブロックを、長手方向へ順次接続しながら敷設して路面幅方向端部側に排水路を形成し、
敷設した前記スリット付き側溝用ブロックのスリット内に嵌まって突設する位置決め部材を取り付け、
該位置決め部材に表面側側壁を当接させ位置決めしながら境界ブロックを前記スリット付き側溝用ブロックの上面に設置し、順次長手方向へ接続し敷設してなることを特徴とし、
または、
略方形体状をなし、裏面側側壁の下側略中央位置には係止孔が設けられてなる境界ブロックを吊り上げる吊り装置であって、
上部に吊り上げフック部が設けられ、略中間部上側位置には回動部が設けられ、下部には吊り上げる境界ブロックの一方側側壁に係止する係止部が設けられた押さえ部材と、
前記押さえ部材の回動部を挟んで軸支する一対の保持部材であり、該一対の保持部材は、先端側に前記回動部に軸支する軸支部を有し、後端側からは上下方向に延出する保持片を有し、該保持片下側位置には前記境界ブロックの係止孔に挿入する係止棒とを有してなり、
該係止棒を係止孔に挿入すると共に、保持片と押さえ部材とにより前記境界ブロックを挟持して吊り上げ運搬可能とされたことを特徴とするものである。
【発明の実施の形態】
以下、図に基づいて本発明に係る境界ブロックの施工方法及び境界ブロック吊り装置について説明する。
【０００５】
まず、側溝用ブロック１はその上面部２にスリット３が設けられた側溝用ブロック１であり、該スリット付き側溝ブロック１は、通常では略直方体の角柱状をなして形成されている。
【０００６】
そして、その軸心方向には例えば縦長楕円状をなし内側の上壁がフラット面に形成された中空路が設けられている。
【０００７】
ここで、この中空路と外部とを連通させるスリット３が上面部２において軸心方向へ向かって直線状に延出して設けられていると共に、該スリット３は側溝用ブロック１の幅方向中央から一方側に偏らせて設けられている。
【０００８】
さらに、この上面部４の外表面は前記スリット３を境に若干段差を設けて形成されている場合もある。
【０００９】
次に、符号４は境界ブロックを示す。
【００１０】
該境界ブロック４は図から理解されるように略台形をなす方形体として形成されており、スリット付き側溝ブロック１のスリット３を境にして幅方向片方側に裁置され、車道と歩道などそれ以外の区画との境界用突条ブロックとして使用される。図では比較的長さの短い境界ブロック４を示してあるが、長さの長い、たとえば側溝用ブロック１のような長さの長い境界ブロック４の場合もある。
【００１１】
しかして、長く、しかも重量のある境界ブロック４の設置には、本発明は特に効果を発揮する。
また、符号５は吊り具を示し、該吊り具５は押さえ部材６とこの押さえ部材６を挟んで取り付けられる一対の保持部材７，７とを有して拡開可能な挟み式吊り具として構成される。
【００１２】
ここで、押さえ部材６はその上部に吊り上げフック部８を有し、略中間部の上側位置には回動部９が設けられ、下部には吊り上げるべき前記境界ブロック４の表面側側壁１０に係止する押さえ板型係止部１１を有して構成されている。
【００１３】
次に、一対の保持部材７，７は前記押さえ部材６を両側から挟み込む形で取り付けられるものであり、その先端側（上部側）には前記押さえ部材６の回動部９に軸支される軸支部１２が設けられ、該回動部９及び軸支部１２を支点として押さえ部材６及び一対の保持部材７，７が回動可能とされる。
【００１４】
また後端側（下部側）からは前記吊り上げるべき境界ブロック４の裏面側側壁１３の長手方向下側略中央位置に設けられた係止孔１４に挿入される係止棒１５有するよう構成されている。
このように、押さえ部材６と一対の保持部材７，７とは図４に示すごとく回動部９及び軸支部１２を支点として回動し、境界用ブロック１を挟持出来るようになっている。
【００１５】
以上において、境界用ブロック４の敷設方法につき説明する。
【００１６】
まずスリット付き側溝用ブロック１を長手方向に順次接続しながら敷設して路面幅方向端部側に排水路を形成する。
【００１７】
次いで、前記敷設したスリット付き側溝用ブロック１のスリット３を位置決めに利用すべくそのスリット３内に位置決め部材１６を図１のように挿入し、上方に突設させる。この位置決め部材１６は単なる木片で構わない。
【００１８】
その後、吊り具５により境界用ブロック４を挟持する（図４参照）。
【００１９】
すなわち、前記したように境界ブロック４の裏面側側壁１３に設けられた係止孔１４に保持部材７，７から突設された係止棒１５を差し込み、かつ表面側側壁１０に押さえ部材６の係止部１１を係止させ、その状態から上方へ吊り上げる。
【００２０】
なお、符号１８は上面押さえ片であり、該上面押さえ片１８により境界ブロック４の上面を押さえておけば、吊り上げたとき境界ブロック４の左右側へ揺動することがない。そして、この上面押さえ片１８はＬ形鋼を切断して使用すればよい。
【００２１】
そして、設置すべきスリット付き側溝用ブロック１の上面に降ろして設置するが、この際も前記位置決め部材１１に境界ブロックの表面側側壁１０を当接させて位置決めを行い、スリット付き側溝ブロック１の上に設置する（図２参照）。
【００２２】
このように、はじめに設置すべき境界ブロック４の設置後、順次、次の境界ブロック４を吊り具５により吊り上げ、図３から理解されるように繋げながら設置してゆく。
【００２３】
なお、境界ブロック４の接続面間には所定の目地材を充填するため所定の間隔をあけておくものとする。
【００２４】
そのため、図３に示すように間隔保持具１７が既設境界ブロック４の接続側上面に設置されている。これにより所定の間隔があけられて次の境界ブロック４が設置される。
【００２５】
しかして、図３のように順次境界ブロック４を設置し、最終的に車道と歩道などそれ以外の区画との境界用突条ブロックとして使用されることとなる。
【００２６】
このように、本発明によれば、安全に迅速スムーズに、かつ効率よくスリット付き側溝ブロック１の上に境界ブロック４を設置することが出来る。
【発明の効果】
かくして本発明は以上の構成よりなる。
【００２７】
そして、本発明による境界ブロックの施工方法及び境界ブロック吊り装置であれば、境界ブロックの運搬そして吊り上げについて、またその施工に際しても迅速、確実及び安価な施工コストで行え、特に吊り装置については本発明の吊り具により迅速、確実な作業が行え、しかも安価な製造コストで提供できるとの優れた効果を奏する。
【図面の簡単な説明】
【図１】  本発明による境界ブロックを施工する方法の概略構成を説明する構成説明図（その１）である。
【図２】  本発明による境界ブロックを施工する方法の概略構成を説明する構成説明図（その２）である。
【図３】  本発明による境界ブロックを施工する方法の概略構成を説明する構成説明図（その３）である。
【図４】  本発明による境界ブロックの吊り具の概略構成を説明する概略構成説明図である。
【符号の説明】
１    スリット付き側溝用ブロック
２    上面部
３    スリット
４    境界ブロック
５    吊り具
６    押さえ部材
７    支持部材
８    吊り上げフック部
９    回動部
１０    表面側側壁
１１    係止部
１２    軸支部
１３    裏面側側壁
１４    係止孔
１５    係止棒
１６    位置決め部材
１７    間隔保持具
１８    上面押さえ片
【図１】
0003798311.tif 000002
【図２】
0003798311.tif 000003
【図３】
0003798311.tif 000004
【図４】
0003798311.tif 000005